(57)【特許請求の範囲】
【請求項１】
ベース布部と、このベース布部と二重の関係になるように必要な段数だけ前記ベース布部の表側に設けられるフリル布部と、前記ベース布部と前記フリル布部の一端を重ね織りにより結合した接結部と、経糸のみで作られ前記フリル布部の前記接結部と反対側の先端に設けられる連結部とを有し、
各フリル布部の長さを次段の接結部を覆える長さとし、各フリル布部の先端に設けられる連結部は次段のフリル布部の上から当該フリル布部と前記ベース布部を貫通して次段の次の接結部の一端に連結するように設けたことを特徴とするフリル付き織布。
【発明の詳細な説明】
【技術分野】
【０００１】
本発明は、フリル付きスカートやフリルつきブラウス等の製造に用いるフリル付き織布に関する。
【背景技術】
【０００２】
従来のこの種のフリル付き織布として、例えば下記特許文献１に示されるものがある。
図５は特許文献１に示される従来のフリル付き織布の要部側面図、図６はその斜視図で、図において１はベース布部、２はフリル布部、３は接結部、４は連結部であり、これらベース布部１、フリル布部２、接結部３、及び連結部４は、ジャカード織機やドビー織機等の織布製造装置によりにより連続的かつ一体的に織り上げられている。
ここで、ベース布部１はスカートやブラウス等のベースとなる布部であり、またフリル布部２は飾りのフリルとなる布部で、このフリル布部２はベース布部１と二重の関係になるように必要な段数（枚数）だけベース布部１の表側に設けられる。
【０００３】
接結部３はベース布部１とフリル布部２を重ね織りにした部分で、この接結部３によりフリル布部２の一端はベース布部１に結合されている。また、接結部３には横糸に収縮性を有する糸としてウレタン糸が用いられている。このウレタン糸は伸ばして糊で固めたものが用いられ、横糸として織り込んだ後、糊を洗い落とすことで接結部３を収縮させることによりベース布部１及び各フリル布部２の接結部３側の部分に均等な間隔でギャザー５を作り出している。
【０００４】
連結部４は経糸のみで作られる部分であって、フリル布部２の接結部３と反対側の端部（以下先端）からベース布部１を貫通して隣接する次段（下段）の接結部３に連結するように設けられており、ベース布部１の裏側で弛みを持たせて鋏等の切断具が差し込めるようにしている。
【０００５】
図７はフリルを完成させる工程を示す要部側面図、図８はその斜視図で、上記のように織り上げたフリル付き織布の連結部４をベース布部１の裏側で弛みを持たせた部分に鋏等の切断具を差し込んで切断する。そして、切断後、フリル布部２を持ち上げると、図７及び図８に示したようにフリル布部２の先端はベース布部１から離れるので、フリル布部２の先端のほつれを防止するため、メローロック等の加工を施すことで、フリルが完成する。尚、接結部３側には連結部４の経糸が残るが、接結部３は重ね織により固く織り上げられているので、接結部３にほつれが生じる心配はない。
【０００６】
このようにしてフリルを完成させたフリル付き織布は、縫製によりフリル付きスカートを容易に製造することができる他、このフリル付き織布を利用することで胴部や袖にフリルのついたブラウス等の衣装を製造することも可能であり、更にフリルつきの装飾品、小物等の製造に用いることができる。
【先行技術文献】
【特許文献】
【０００７】
【特許文献１】特許第４５９８８８５号公報
【発明の概要】
【発明が解決しようとする課題】
【０００８】
しかしながら、上述した従来の技術においては、フリル付きスカートやブラウス等の製品としたとき、接結部３が表に出てしまうため、布地の色や絵柄によっては見栄えが悪くなるという問題がある。
本発明は、このような問題を解決することを課題とする。
【課題を解決するための手段】
【０００９】
そのため、本発明のフリル付き織布は、ベース布部と、このベース布部と二重の関係になるように必要な段数だけ前記ベース布部の表側に設けられるフリル布部と、前記ベース布部と前記フリル布部の一端を重ね織りにより結合した接結部と、経糸のみで作られ前記フリル布部の前記接結部と反対側の先端に設けられる連結部とを有し、各フリル布部の長さを次段の接結部３を覆える長さとし、各フリル布部の先端に設けられる連結部は次段のフリル布部の上から当該フリル布部と前記ベース布部を貫通して次段の次の接結部の一端に連結するように設けたことを特徴とする。
【発明の効果】
【００１０】
このようにした本発明は、連結部を切断し、フリル布部を持ち上げてベース布部から離した後、フリル布部の先端のほつれを防止するためのメローロック等の加工を施すことでフリルを完成させたとき、接結部がフリルの下に隠れるので、美観性を向上させることができるという効果が得られる。
【図面の簡単な説明】
【００１１】
【図１】第１の実施例を示す要部側面図
【図２】第１の実施例を示す要部斜視図
【図３】第１の実施例のフリルを完成させる工程を示す要部側面図
【図４】第１の実施例のフリルを完成させる工程を示す要部斜視図
【図５】従来例を示す要部側面図
【図６】従来例を示す要部斜視図
【図７】従来例のフリルを完成させる工程を示す要部側面図
【図８】従来例のフリルを完成させる工程を示す要部斜視図
【発明を実施するための形態】
【００１２】
以下、図面を参照して本発明によるフリル付き織布の実施例を説明する。
【実施例１】
【００１３】
図１は第１の実施例を示す要部側面図、図２は第１の実施例を示す要部斜視図で、図において１はベース布部、２はフリル布部、３は接結部、４は連結部であり、これらは基本的には従来と同様のものであるので、同一の符号で示している。また、ベース布部１、フリル布部２、接結部３、及び連結部４は、ジャカード織機やドビー織機等の織布製造装置により連続的かつ一体的に織り上げられていることも、従来と同様であるが、本実施例では、フリル布部２と連結部４を以下のように形成している。
【００１４】
すなわち、フリル布部２はベース布部１と二重の関係になるように必要な段数（枚数）だけベース布部１の表側に設け、各フリル布部２の一端はベース布部１に結合して接結部３とするが、本実施例では、各フリル布部２の長さを次段（下段）の接結部３を覆える長さとし、各フリル布部２の先端に経糸のみで作られる連結部４は次段のフリル布部２の上から当該フリル布部２とベース布部１を貫通して次段の次の接結部３の一端に連結するように設けたものとしている。
【００１５】
尚、接結部３は、ベース布部１の裏側で弛みを持たせて鋏等の切断具が差し込めるようにしていることは従来と同様である。また、接結部３には横糸に収縮性を有する糸としてウレタン糸が用いられており、このウレタン糸は伸ばして糊で固めたものが用いられ、横糸として織り込んだ後、糊を洗い落とすことで接結部３を収縮させることによりベース布部１及び各フリル布部２の接結部３側の部分に均等な間隔でギャザー５（図６、図８参照）を作り出していることも従来と同様である。
【００１６】
図３はフリルを完成させる工程を示す要部側面図、図４はその要部斜視図で、上記のように織り上げたフリル付き織布の連結部４をベース布部１の裏側で弛みを持たせた部分に鋏等の切断具を差し込んで切断する。そして切断後、フリル布部２を持ち上げると、図３及び図４に示したようにフリル布部２の先端はベース布部１から離れるので、フリル布部２の先端のほつれを防止するため、メローロック等の加工を施すことで、フリルが完成するが、各フリル布部２の長さを次段（下段）の接結部３を覆える長さとしているため、フリル完成後の製品では接結部３がフリルの下に隠れることになる。
【００１７】
尚、接結部３側には連結部４の経糸が残るが、接結部３は重ね織により固く織り上げられているので、接結部３にほつれが生じる心配はない。
このようにしてフリルを完成させたフリル付き織布は、縫製によりフリル付きスカートを容易に製造することができる他、このフリル付き織布を利用することで胴部や袖にフリルのついたブラウス等の衣装を製造することも可能であり、更にフリルつきの装飾品、小物等の製造に用いることができる。
【００１８】
以上説明したように第１の実施例によるフリル付き織布は、ベース布部１と、このベース布部１と二重の関係になるように必要な段数（枚数）だけベース布部１の表側に設けられるフリル布部２と、ベース布部１とフリル布部２を重ね織りにより結合した接結部３と、経糸のみで作られフリル布部２の接結部３と反対側の先端に設けられる連結部４とを連続的かつ一体的に織り上げるものとして、各フリル布部２の長さを次段の接結部３を覆える長さとし、各フリル布部２の先端に設けられる連結部４は次段のフリル布部２の上から当該フリル布部２とベース布部１を貫通して次段の次の接結部３の一端に連結するように設けた構成としているため、連結部４を切断し、フリル布部２を持ち上げてベース布部１から離した後、フリル布部２の先端のほつれを防止するためのメローロック等の加工を施すことでフリルを完成させたとき、接結部３がフリルの下に隠れることになり、そのため美観性を向上させることができるという効果が得られる。
【００１９】
また、フリル布部２、接結部３、及び連結部４は、例えばスカートを製造する場合、スカートのウエストから裾までのベース布部１をジャカード織りにより織り上げる一連の過程でベース布部１と共に織り込むことができるので、極めて容易にフリル付き織布を製造することができるという効果も得られる。
【符号の説明】
【００２０】
１    ベース布部
２    フリル布部
３    接結部
４    連結部
【図１】
0005513550.tif 000002
【図２】
0005513550.tif 000003
【図３】
0005513550.tif 000004
【図４】
0005513550.tif 000005
【図５】
0005513550.tif 000006
【図６】
0005513550.tif 000007
【図７】
0005513550.tif 000008
【図８】
0005513550.tif 000009